(57)【特許請求の範囲】
【請求項１】
軸方向一方側の外周に撓み変形可能な係止爪を有し、内部にはこの内部に挿通されるワイヤの先端に取り付けられている係止駒や掛け止め具の係合部を突き当てる段部が軸方向両側にそれぞれ形成されている第１のスリーブ片と、
前記第１のスリーブ片の軸方向一部で周方向に分割され、掛け止め具の先端に取り付けられた係合部を突き当てる段部の一部が形成されている第２のスリーブ片と、
周方向で合致させた前記第１，第２のスリーブ片の外周に嵌合される外スリーブとを備え、
前記外スリーブは、前記第１のスリーブ片に形成されている前記係止爪に係合可能な係合段部が軸方向一方側の内面に形成され、前記第１，第２のスリーブの外周に嵌合可能な孔部が軸方向他方側の内面に形成され、
前記第１のスリーブ片に有する段部にそれぞれ前記ワイヤの係止駒や掛け止め具の係合部を突き当てた状態で前記第２のスリーブ片を該第１のスリーブ片に被せた状態で前記外スリーブを、その軸方向他方側に位置する孔部側から該第１，第２のスリーブ片の外周に嵌合させて前記第１のスリーブ片に設けられている係止爪に前記外スリーブ側の係合段部を係合させることにより前記外スリーブが第１，第２のスリーブ片を囲繞した状態で一体化されていることを特徴とする工具落下防止用連結具。
【請求項２】
前記第１のスリーブ片に形成されている前記係止爪は、前記外スリーブの係合段部が通過する際に外スリーブ内面中心に向けて撓み変形し、該係合段部が通過し終わった時点で形状復元力によって前記係合段部を係止することを特徴とする請求項１に記載の工具落下防止用連結具。
【請求項３】
前記ワイヤの芯線がステンレス細線の縒り線であることを特徴とする請求項１に記載の工具落下防止用連結具。
【発明の詳細な説明】
【技術分野】
【０００１】
本発明は、工具落下防止用接続具に関し、さらに詳しくは、レンチなどの工具を人体に吊り下げる際に用いる接続具の構造に関する。
【背景技術】
【０００２】
ナットの締め付けや締め付け解除の際に用いられる工具の一つであるレンチは、その使用箇所がいろいろであるが、例えば高所での作業にも用いられる。
高所作業を行う場合には、持参した工具の落下を防止するために工具を作業者のベルトなどに吊り下げたり、あるいは収納袋をベルトに吊り下げてその袋の中に工具を入れておくなどの処置が採られている。
収納袋に入れた場合には作業に際して袋から取り出すのに手間がかかるなどの不便がある。
【０００３】
そこで、工具を作業者のベルトなどに直接吊り下げられることができる接続具が提案されている（例えば、特許文献１〜３）。
【０００４】
特許文献１には、ドライバなどの軸部分を有する工具を対象として、軸部に挿嵌可能なリングを一端に備えたワイヤを接続具として用い、軸部に挿嵌されたリングをゴム製の支持環により抜け止めする構成が開示されている。
特許文献２には、前述したドライバと違って軸部を有しないレンチなどを工具の対象とした場合、レンチ側に形成された穴内に挿通されるネジ部を延長方向一端に有したワイヤを連結具として用い、レンチ側の孔に挿通されたネジ部に有するフランジとネジ部にねじ込まれるナットによってレンチを挟み込んで保持する一方、タイヤの延長方向他端に形成されたループ部を作業者のベルト側に連結する構成が開示されている。
特許文献３には、ドライバを工具の対象とした場合に軸部に挿嵌される引き紐係止部材に形成された孔に掛け止められるナス環を延長方向一端に有した螺旋状のコイルを連結具として用い、ワイヤの延長方向他端に形成されたループ部を作業者のベルト等に連結する構成が開示されている。
【０００５】
【特許文献１】実開平６−７５６７２号公報
【特許文献２】特開２００６−２３１５０２号公報
【特許文献３】特開２００１−３２２０７５号公報
【発明の開示】
【発明が解決しようとする課題】
【０００６】
連結具として用いられるワイヤには、特許文献１，３に開示されているように、その延長方向一端にリングやナス環などの掛け止め部材が設けられて工具側との係止ができる構成となっている。
【０００７】
ところで、このような掛け止め部材は、ワイヤ側に対してカシメなどによって固定されていることが多い。
しかし、掛け止め部材は、ワイヤに固定されたままで姿勢が変化しない状態よりもワイヤの延長方向と直角な方向で自由に姿勢を変化させる、いわゆるワイヤ周りに回転させるようにすることもある。
これは、工具に外力が作用した場合に工具の姿勢変化を生じさせることにより、姿勢が固定されている場合と違って、作業者に対する工具側からの反撥力が衝撃とならないようにするためである。例えば、作業者が工具に触れた際の外力が工具に作用した場合にその外力を逃がす方向に工具の姿勢が変化すれば作業者への反撥力が軽減できることになる。
【０００８】
しかし、従来では、特許文献にも開示されているように、ワイヤに対して掛け止め部材が固定されて掛け止め部材の回転はワイヤのよじれに依存していることが多い。このため、作業者が受ける工具側からの反撥力を軽減するには限度があった。
【０００９】
本発明の目的は、上記従来の工具落下防止用連結具における問題に鑑み、連結されて吊り下げられる工具の自由な姿勢変化を簡単な構成により達成することができる工具落下防止用連結具を提供することにある。
【課題を解決するための手段】
【００１０】
この目的を達成するため、本発明は次の構成よりなる。
（１）軸方向一方側の外周に撓み変形可能な係止爪を有し、内部にはこの内部に挿通されるワイヤの先端に取り付けられている係止駒や掛け止め具の係合部を突き当てる段部が軸方向両側にそれぞれ形成されている第１のスリーブ片と、
前記第１のスリーブ片の軸方向一部で周方向に分割され、掛け止め具の先端に取り付けられた係合部を突き当てる段部の一部が形成されている第２のスリーブ片と、
周方向で合致させた前記第１，第２のスリーブ片の外周に嵌合される外スリーブとを備え、
前記外スリーブは、前記第１のスリーブ片に形成されている前記係止爪に係合可能な係合段部が軸方向一方側の内面に形成され、前記第１，第２のスリーブの外周に嵌合可能な孔部が軸方向他方側の内面に形成され、
前記第１のスリーブ片に有する段部にそれぞれ前記ワイヤの係止駒や掛け止め具の係合部を突き当てた状態で前記第２のスリーブ片を該第１のスリーブ片に被せた状態で前記外スリーブを、その軸方向他方側に位置する孔部側から該第１，第２のスリーブ片の外周に嵌合させて前記第１のスリーブ片に設けられている係止爪に前記外スリーブ側の係合段部を係合させることにより前記外スリーブが第１，第２のスリーブ片を囲繞した状態で一体化されていることを特徴とする工具落下防止用連結具。
【００１１】
（２）前記第１のスリーブ片に形成されている前記係止爪は、前記外スリーブの係合段部が通過する際に外スリーブ内面中心に向けて撓み変形し、該係合段部が通過し終わった時点で形状復元力によって前記係合段部を係止することを特徴とする（１）に記載の工具落下防止用連結具。
【００１２】
（３）前記ワイヤの芯線がステンレス細線の縒り線であることを特徴とする（１）に記載の工具落下防止用連結具。
【発明の効果】
【００１３】
本発明によれば、第１のスリーブ片に形成されている段部にワイヤの係止駒や掛け止め具の係合部を突き当てた状態で第２のスリーブ片を被せ、これら第１，第２のスリーブ片の外周に外スリーブが嵌合されることにより工具落下防止用連結具が完成する。
外スリーブの挿嵌過程で第１のスリーブに有する係止片が押し動かされて撓み変形した後、形状復元して外スリーブの係合段部を係止することができるので、外スリーブによる第１，第２のスリーブ片の拡散防止および外スリーブの抜け止めとが外スリーブの挿嵌作業のみで可能となる。
【発明を実施するための最良の形態】
【００１４】
以下、図面により本発明を実施するための最良の形態について説明する。
図１は、本発明による工具落下防止用連結具１の外観図である。
工具落下防止用具１は、ワイヤ２とこのワイヤ２の延長方向両端にそれぞれ装着されている連結具３と連結具３を介してワイヤ２に取り付けられているナス環などの掛け止め具４，５とで構成されている。
【００１５】
ワイヤ２は、外径が０．８１ｍｍのステンレス等の縒り線が芯線２Ａとして用いられ、その外周がポリウレタンにより被覆されたコードであり、延長方向途中がコイル状に癖付けされている（図１において符号Ｌで示す範囲）。
【００１６】
掛け止め具４，５のうちで、掛け止め具４は、その構成が図１（Ｂ）に、そして掛け止め具５は、その構成が図１（Ｃ）にそれぞれ示されている。
掛け止め具４は、図１（Ｂ）に示すように、他部材が押し込まれるのを許容する方向に移動可能な係止部４Ａを有したナス環である。掛け止め具４の基部下面には、連結具３側に係止される係合部として用いられるフランジ４Ｂ１が先端に設けられたロッド部４Ｂが一体化されている。
掛け止め具５は、図１（Ｃ）に示すように、本体の支軸５Ａ１を中心として他部材が押し込まれるのを許容する方向および操作片５Ａ２の操作方向（矢印方向）に応じた方向に移動可能な係止部を有したナス環である。掛け止め具５の、基部下面には連結具３側に係止される係合部として用いられるフランジ５Ｂ１が先端に設けられたロッド部５Ｂが一体化されている。
【００１７】
図２および図３は、連結具３の要部構成を示す図であり、同図において連結具３は、第１のスリーブ片３Ａ、第２のスリーブ片３Ｂおよび外スリーブ３Ｃを備えている。
第１のスリーブ片３Ａは、軸方向一方側の外周に撓み変形可能な係止爪３Ａ１が、図３に示すように、周方向で分割されて設けられている。
第１のスリーブ片３Ａの内部には、図２に示すように、ワイヤ２の端末部に固定されている係止駒２０や、掛け止め具であるナス環４（５）に装備されている係合部であるフランジ４Ｂ１（５Ｂ１）を突き当てる段部３Ａ２，３Ａ３が軸方向両側にそれぞれ形成されている。
【００１８】
第２のスリーブ片３Ｂは、第１のスリーブ片３Ａの軸方向一部で周方向に分割された片部が用いられ、第１のスリーブ片３Ａに被さられることで第１のスリーブ片３Ａとで円筒形状を構成できる部材である。
第２のスリーブ片３Ｂの内部には、第１のスリーブ片３Ａ側の段部３Ａ３に対応する段部３Ｂ１が形成されている。そして段部３Ｂ１と段部３Ａ３に、掛け止め具４あるいは掛け止め具５の基部下面に設けられている係合部であるフランジ４Ｂ１あるいは５Ｂ１が突き当たる。
【００１９】
第１のスリーブ片３Ａおよび第２のスリーブ片３Ｂにおいて周方向で対向する面には、嵌合凸部３Ａ４および嵌合凹部３Ｂ２が形成されている。
これら嵌合凸部３Ａ４および嵌合凹部３Ｂ２は、互いに嵌合されることにより第１，第２のスリーブ片３Ａ、３Ｂ同士の軸方向での位置決めが行えるようになっている。
【００２０】
第１および第２のスリーブ片３Ａ、３Ｂに設けられている段部３Ａ２，３Ａ３および３Ｂ１には、掛け止め具４（５）に有するロッド部４Ｂ（５Ｂ）の外径よりも多少大きい内径を有した貫通部３Ａ１０，３Ｂ１０が形成されている。これにより、掛け止め具４（５）は、第１，第２のスリーブ片３Ａ、３Ｂが一体化された場合でも掛け止め具４（５）の回転が自由に行えるようになっている。
【００２１】
一方、外スリーブ３Ｃは、第１のスリーブ片３Ａ側に位置する係止爪３Ａ１に係合可能な段部３Ｃ１が軸方向一方側に形成されている。この段部３Ｃ１は、内方に突出して第１のスリーブ片３Ａ側の係止爪３Ａ１に連続するロッド部３Ａ１１に入り込むことができるようになっている。
外スリーブ３Ｃの軸方向他方側には、第１，第２のスリーブ片３Ａ、３Ｂの外周面に嵌合可能な内径を有した孔部３Ｃ２が形成されている。
【００２２】
本実施形態は以上のような構成であるから、ワイヤ２の一端部に連結具３が取り付けられる。
連結具３は、第１のスリーブ片３Ａに設けられている段部３Ａ２および３Ａ３に対してワイヤ２に有する係止駒２０および掛け止め具４（５）のフランジ４Ｂ１（５Ｂ１）を突き当てた上で第２のスリーブ片３Ｂを被せることにより係止駒２０および掛け止め具４（５）を挟み込んだ状態で一体化される。
【００２３】
第１，第２のスリーブ片３Ａ、３Ｂ内に位置する掛け止め具４（５）は、第１，第２のスリーブ片３Ａ、３Ｂの段部３Ａ３，３Ｂ１に突き当てられているものの、回転を規制されていないので、掛け止め具４（５）の姿勢を変化させることが可能である。
【００２４】
一体化された第１，第２のスリーブ片３Ａ、３Ｂに対して外スリーブ３Ｃが挿嵌される。
外スリーブ３Ｃは、図２において矢印で示すように、孔部３Ｃ２側を第１のスリーブ片３Ａの係止爪３Ａ１側に向けた状態で挿入される。外スリーブ３Ｃが挿入されると、第１のスリーブ３Ａの係止爪３Ａ１が外スリーブ３Ｃの内側に押されて撓み、外スリーブ３Ｃの係合段部３Ｃ１の移動の邪魔とならない位置に退避する。
段部３Ｃ１が係止爪３Ａ１の位置を通過し終わると、係止爪３Ａ１は形状復元力により元の位置に復帰して外スリーブ３Ｃの係合段部３Ｃ１を係止することにより外スリーブ３Ｃが軸方向で移動するのを阻止する。
外スリーブ３Ｃは、第１，第２のスリーブ片３Ａ，３Ｂの外周を囲繞して各スリーブ片３Ａ，３Ｂが拡散するのを阻止して連結具３を構成する。
【００２５】
このような実施形態によれば、第１のスリーブ３Ａに第２のスリーブ片３Ｂを被せたうえで、外スリーブ３Ｃを挿嵌するだけで連結具３として組み立てることができるので、第１，第２のスリーブ片同士を接合する作業を不要にできる。これにより、例えば、スリーブ片が樹脂製である場合に用いられる超音波溶接や接着作業などを要しないで連結具３を構成できるので、組み立て作業性を向上させることができる。
【００２６】
掛け止め具４，５は、吊り下げる対象物である工具の重量などの種類に応じて種別されている。このため、連結具３も多種選択されることになるが、本実施形態では、選択された連結具３の組み立てに際しても、第１，第２のスリーブ片３Ａ，３Ｂに対する外スリーブ３Ｃの挿嵌作業のみで準備することができる。これにより、連結具の種類に関係なく簡単な作業により連結具を制作することができる。
【図面の簡単な説明】
【００２７】
【図１】本発明による工具落下防止用連結具の実装状態を示す外観図である。
【図２】本発明による工具落下防止用連結具の要部構成を示す断面図である。
【図３】本発明による工具落下防止用連結具の分解斜視図である。
【符号の説明】
【００２８】
１  工具落下防止用具
２  ワイヤ
２Ａ  芯線
３  工具落下防止用連結具
３Ａ  第１のスリーブ片
３Ａ１  係止爪
３Ａ２，３Ａ３  段部
３Ａ１０，３Ｂ１０  貫通部
３Ｂ  第２のスリーブ片
３Ｂ１  段部
３Ｃ  外スリーブ
３Ｃ１  段部
３Ｃ２  孔部
４，５  掛け止め具
４Ｂ１，５Ｂ１  係合部として用いられるフランジ
２０  係止駒
【図１】
0005214322.tif 000002
【図２】
0005214322.tif 000003
【図３】
0005214322.tif 000004